(57)【要約】【課題】薬品の管理を向上させることができる薬品送り装置および薬品管理器具を提供することを目的とする。【解決手段】実施形態によれば、ケーシングと、操作部と、送り部と、を含む薬品送り装置が提供される。前記ケーシングは、底部及び回転軸を含む。前記操作部は、前記ケーシングに対して着脱可能に固定され前記回転軸とともに回転する。前記送り部は、前記回転軸を介して前記操作部から伝達された力により回転する。前記底部は、前記底部は、それぞれに薬品が包装された複数の包装袋を有する包装袋帯のうちの一部を前記底部と前記送り部との間で挟設する。前記送り部が所定の方向へ回転すると前記包装袋帯が前記送り部から力を受けて移動し、前記包装袋が前記ケーシングの外部および前記ケーシングの内部の少なくともいずれかへ送られる。【選択図】図１
2017086414.tif 000002
【特許請求の範囲】
【請求項１】
底部及び回転軸を含むケーシングと、
前記ケーシングに対して着脱可能に固定され前記回転軸とともに回転する操作部と、
前記回転軸を介して前記操作部から伝達された力により回転する送り部と、
を備え、
前記底部は、それぞれに薬品が包装された複数の包装袋を有する包装袋帯のうちの一部を前記底部と前記送り部との間で挟設し、
前記送り部が所定の方向へ回転すると前記包装袋帯が前記送り部から力を受けて移動し、前記包装袋が前記ケーシングの外部および前記ケーシングの内部の少なくともいずれかへ送られる薬品送り装置。
【請求項２】
前記ケーシングは、前記底部に対して着脱可能に固定され前記回転軸を回転可能に支持する回転軸受け部をさらに含む請求項１記載の薬品送り装置。
【請求項３】
前記ケーシングは、可撓性を有し前記回転軸を覆う着脱可能な上部をさらに備え、
前記上部の先端部は、前記底部の方向へ変位可能である請求項１または２に記載の薬品送り装置。
【請求項４】
前記ケーシングは、可撓性を有し前記回転軸を覆う着脱可能な上部をさらに備え、
前記回転軸受け部は、前記上部の後部を支持する請求項２記載の薬品送り装置。
【請求項５】
前記ケーシングは、前記上部の前部と前記底部との間において、前記ケーシングの側面に形成された開口部を有する請求項３または４に記載の薬品送り装置。
【請求項６】
前記底部は、前記包装袋帯が挿入される挿入孔と、前記挿入孔を形成する凸曲面と、を有する請求項１〜５のいずれか１つに記載の薬品送り装置。
【請求項７】
前記底部の前記送り部側の上面は、前記回転軸に対して垂直な方向に延びる溝を有する請求項１〜６のいずれか１つに記載の薬品送り装置。
【請求項８】
請求項１〜７のいずれか１つに記載の薬品送り装置と、
前記包装袋帯を収納可能な空間を有する箱と、
を備えた薬品管理器具。
【発明の詳細な説明】
【技術分野】
【０００１】
本発明の態様は、一般的に、薬品送り装置および薬品管理器具に関する。
【背景技術】
【０００２】
例えば、医師が複数の種類の薬品を患者に処方した場合において、患者が一回あたり（例えば朝食後）に服用する薬品の種類あるいは薬品の数が比較的多いことがある。この場合において、患者は、薬品を服用することを煩雑に感ずることがある。あるいは、例えば年配の患者などは、いずれの種類の薬品をいずれの数だけ服用すればよいか分からないことがある。これに対して、一回当たりに服用する薬品が１つの袋に包装（一包化）された包装袋がある。また、そのような包装袋が連続した包装袋帯がある。これによれば、例えば、朝食後、昼食後および夕食後のそれぞれの１回あたりに服用する薬品は、より明確になる。
【０００３】
しかし、例えば年配の患者などは、薬品を服用するときに、包装袋帯の両端部のうちのいずれの端部の包装袋の薬品を服用すればよいか分からない場合がある。そのため、例えば薬品が一包化された包装袋の包装袋帯を管理する点においては、さらなる改善が望まれている。
【先行技術文献】
【特許文献】
【０００４】
【特許文献１】登録実用新案第３１５４２１１号公報
【発明の概要】
【発明が解決しようとする課題】
【０００５】
本発明は、かかる課題の認識に基づいてなされたものであり、薬品の管理を向上させることができる薬品送り装置および薬品管理器具を提供することを目的とする。
【課題を解決するための手段】
【０００６】
実施形態によれば、ケーシングと、操作部と、送り部と、を含む薬品送り装置が提供される。前記ケーシングは、底部及び回転軸を含む。前記操作部は、前記ケーシングに対して着脱可能に固定され前記回転軸とともに回転する。前記送り部は、前記回転軸を介して前記操作部から伝達された力により回転する。前記底部は、前記底部は、それぞれに薬品が包装された複数の包装袋を有する包装袋帯のうちの一部を前記底部と前記送り部との間で挟設する。前記送り部が所定の方向へ回転すると前記包装袋帯が前記送り部から力を受けて移動し、前記包装袋が前記ケーシングの外部および前記ケーシングの内部の少なくともいずれかへ送られる。
【発明の効果】
【０００７】
本発明の態様によれば、薬品の管理を向上させることができる薬品送り装置および薬品管理器具が提供される。
【図面の簡単な説明】
【０００８】
【図１】本発明の実施の形態に係る薬品送り装置を備えた薬品管理器具を表す模式的斜視図である。
【図２】本実施形態に係る薬品送り装置を備えた薬品管理器具を表す模式的平面図である。
【図３】本実施形態に係る薬品送り装置を備えた薬品管理器具を表す模式的平面である。
【図４】図４（ａ）及び図４（ｂ）は、薬品が一包化された包装袋の包装袋帯を例示する模式図である。
【図５】本実施形態に係る薬品送り装置を備えた薬品管理器具を表す模式的分解図である。
【図６】図６（ａ）及び図６（ｂ）は、本実施形態に係る箱を表す模式的平面図である。
【図７】図７（ａ）は、本実施形態に係る操作部を例示する模式的平面図であり、図７（ｂ）は、本実施形態に係る回転軸、送り部及び操作部固定部を例示する模式的平面図である。
【図８】本実施形態に係る薬品管理器具の各部材のバリエーションを例示する表である。
【図９】図９（ａ）及び図９（ｂ）は、本実施形態に係る、別の薬品管理器具を表す模式的平面図である。
【図１０】本実施形態に係る、さらに別の薬品管理器具を例示する模式的平面図である。
【図１１】図１１（ａ）は、本実施形態に係る薬品管理器具の使用形態の一例を表す模式的平面図であり、図１１（ｂ）は、本実施形態の連結台を表す模式的斜視図である。
【発明を実施するための形態】
【０００９】
以下、本発明の実施の形態について図面を参照しつつ説明する。なお、各図面中、同様の構成要素には同一の符号を付して詳細な説明は適宜省略する。  
図１は、本発明の実施の形態に係る薬品送り装置を備えた薬品管理器具を表す模式的斜視図である。  
図２は、本発明の実施の形態に係る薬品送り装置を備えた薬品管理器具を表す模式的平面図である。  
図３は、本発明の実施の形態に係る薬品送り装置を備えた薬品管理器具を表す模式的平面図である。  
図４は、薬品が一包化された包装袋の包装袋帯を例示する模式図である。
【００１０】
図１〜図３に表した薬品管理器具１０は、薬品送り装置１００と、箱２００と、を備える。薬品送り装置１００は、ケーシング１１０と、操作部１２０と、送り部１４１と、を有する。なお、図２は、薬品管理器具１０を上方から眺めた状態を表し、図３は、薬品管理器具１０を右側方から眺めた状態を表す。
【００１１】
ケーシング１１０は、回転軸１３１と、回転軸受け部１１１（第１の側部）と、回転軸受け部１１２（第２の側部）と、上部１１３と、底部１１４と、操作部１２０と、を有する。
【００１２】
例えば図３に表したように、箱２００は、右壁部２１１と、左壁部２１２と、前壁部２１５と、後壁部２１９と、を有する。箱２００の内部には、空間２０１が設けられている。箱２００は、空間２０１において包装袋帯５０（図４参照）を収納することができる。
【００１３】
箱２００の右壁部２１１には、窓部２１３（第２の窓部）が設けられている。窓部２１３は、光透過性の材料により形成されている。窓部２１３の材料としては、例えば、光透過性の樹脂やガラスなどが挙げられる。この例では、窓部２１３の平面形状は、矩形であるが、多角形、円形または楕円形など任意の形状でよい。
【００１４】
箱２００の前壁部２１５には、貼付部２１７（図１参照）が設けられている。貼付部２１７は、箱２００の前壁部２１５の表面（外面）から後退した位置に設けられている。例えば、貼付部２１７は、凹形状を呈する。貼付部２１７の第１の長さＤ１は、例えば約４センチメートル（ｃｍ）以上６ｃｍ以下程度である。貼付部２１７の第２の長さＤ２は、例えば約７ｃｍ以上９ｃｍ以下程度である。なお、この例では、貼付部２１７の平面形状は、矩形であるが、円形や多角形など任意の形状でよい。
【００１５】
底部１１４は、箱２００の上に設けられる。底部１１４は、例えば平板状である。また、図２及び図３に示すように、底部１１４には、挿入孔１１９（開口部）が設けられている。挿入孔１１９は、底部１１４の下方（箱２００の内部）と、底部１１４の上方（ケーシング１１０の内部）とを繋ぐ開口部である。  
この例では、底部１１４は、挿入孔１１９を形成する前側面１１９ｆと後側面１１９ｒとを有する。言い換えると、挿入孔１１９は、前側面１１９ｆ及び後側面１１９ｒに接し、前側面１１９ｆと後側面１１９ｒとの間に挟まれた空間である。図３に表したように、底部１１４の断面において、前側面１１９ｆの形状は、後方側に凸の曲面状である。また、挿入孔１１９の幅（前側面１１９ｆと後側面１１９ｒとの間の距離）は、１５ｍｍ程度である。
【００１６】
回転軸受け部１１１は、底部１１４の右後方において、底部１１４上に立設されている。回転軸受け部１１２は、底部１１４の左後方において、底部１１４の上に立設されている。回転軸受け部１１１及び回転軸受け部１１２は、対向するように設けられている。  
例えば、図３に示すように、回転軸受け部１１１の前方側の縁部１１１ｆは、上下方向（略鉛直方向）に延びる辺を有する。同様に、この例では、回転軸受け部１１２の前方側の縁部１１２ｆも、上下方向に延びる辺を有する。
【００１７】
また、上部１１３は、底部１１４と対向し、回転軸１３１及び送り部１４１を上から覆う。例えば、上部１１３の形状は平板状であるが、可撓性を有する。上部１１３は、弾性を有する材料を含む。例えば、上部１１３は、アクリルなどの樹脂によって形成される。
【００１８】
上部１１３の後部は、回転軸受け部１１１及び回転軸受け部１１２によって挟まれ、回転軸受け部１１１と回転軸受け部１１２とによって支持されている。一方、上部１１３の前部は、回転軸受け部１１１及び回転軸受け部１１２に直接支持されていない。これにより、上部１１３の先端部１１３ｂは、略上下方向に変位可能である。具体的には、先端部１１３ｂは、回転軸受け部１１１の前端及び回転軸受け部１１２の前端を軸として、回転可能または略上下方向に変位可能である。
【００１９】
また、先端部１１３ｂの位置は、底部１１４の前方側の縁部１１４ｂよりも後側であることが望ましい。そして、外部から力が加えられていない状態において、先端部１１３ｂは、底部１１４から離間していることが望ましい。これにより、先端部１１３ｂと底部１１４との間には、隙間が形成され、後述するように、この隙間を、包装袋帯５０の取出口１１６として用いることができる。
【００２０】
上部１１３には、図１に示すような窓部１１３ａ（第１の窓部）を設けてもよい。窓部１１３ａは、光透過性の材料により形成される。窓部１１３ａの材料としては、例えば、光透過性の樹脂やガラスなど挙げられる。
【００２１】
ケーシング１１０の内部には、空洞部１０１（図３参照）が設けられている。空洞部１０１は、回転軸受け部１１１と、回転軸受け部１１２と、上部１１３と、底部１１４と、により囲まれた領域に相当する。
【００２２】
回転軸１３１は、ケーシング１１０の空洞部１０１に設けられ、ケーシング１１０に対して回動自在に軸支されている。例えば、回転軸１３１は、回転軸受け部１１１及び回転軸受け部１１２によって回転可能に支持されている。
【００２３】
操作部１２０は、回転軸１３１の一端部および回転軸１３１の他端部のそれぞれに設けられている。操作部１２０は、回転軸１３１によりケーシング１１０に対して回転自在に軸支されている。操作部１２０は、回転軸１３１に固定され、回転軸１３１とともに回転可能である。言い換えれば、回転軸１３１は、操作部１２０と連結され、操作部１２０の回転とともに回転可能である。
【００２４】
操作部１２０は、図１に表したように把持部１２１と、操作孔１２３と、を有する。例えば、使用者は、把持部１２１を持ち操作部１２０を回転させることができる。または、使用者は、操作孔１２３に指などを入れ操作部１２０を回転させることができる。使用者が操作部１２０を回転させると、回転軸１３１は、操作部１２０とともに回転する。この例では、操作部１２０の平面形状は、円形である。また、円の外周に沿った操作部１２０の表面に凹凸部（溝）を設けてもよい。
【００２５】
送り部１４１は、例えば、スポンジやゴムなどの弾性を有する材料を含む。送り部１４１は、回転軸１３１により、ケーシング１１０に対して回転自在に軸支されている。送り部１４１は、回転軸１３１に接着剤などで取り付けられている。これにより、送り部１４１は、回転軸１３１とともに回転する。使用者が操作部１２０を回転させると、送り部１４１は、回転軸１３１を介して操作部１２０から伝達されたトルク（回転力）により回転する。または、送り部１４１は、例えば樹脂や金属などを含む歯車であってもよい。送り部１４１が歯車である場合にも、送り部１４１は、回転軸１３１に取り付けられ、回転軸１３１とともに回転する。
【００２６】
図４（ａ）に表した包装袋帯５０では、一回当たりに服用する薬品が１つの包装袋５１に包装（一包化）されている。包装袋帯５０は、複数の包装袋５１を有する。隣り合う複数の包装袋５１は、切断線５３を介して互いに接続されている。例えば、患者は、切断線５３において１つの包装袋５１を切り取り、その包装袋５１の中の薬品を取り出すことで、１回当たりの薬品を服用することができる。包装袋５１の表面には、表示部５５が設けられている。表示部５５には、例えば、患者名５５ａや日付５５ｂや服薬時間５５ｃなどが記載されている。なお、表示部５５に記載される事項は、患者名５５ａ、日付５５ｂおよび服薬時間５５ｃに限定されるわけではない。包装袋５１の材料としては、一般的に、樹脂や紙などが挙げられる。
【００２７】
次に、本実施形態にかかる薬品管理器具１０の使用方法について説明する。 
例えば年配の患者などは、薬品を服用するときに、包装袋帯５０の両端部のうちのいずれの端部の包装袋５１の薬品を服用すればよいか分からない場合がある。例えば、約２週間程度の薬品が処方された場合には、包装袋帯５０は、比較的長い。そのため、例えば、患者は、包装袋帯５０の両端部のうちのいずれの端部の包装袋５１の薬品から服用し始めたのか分からなくなることがある。
【００２８】
これに対して、本実施形態では、図３に表したように、使用者は、ケーシング１１０の底部１１４の後方部１１４ａと、送り部１４１と、の間に包装袋帯５０を挟む。ここで、前述したように、送り部１４１は、弾性を有する材料を含む。これにより、図３に表したように、送り部１４１は、送り部１４１自身と、ケーシング１１０の底部１１４の後方部１１４ａと、の間に包装袋帯５０を挟設し保持することができる。なお、後方部１１４ａとは、底部１１４の一部であって、送り部１４１と対向する部分をいう。
【００２９】
送り部１４１は、送り部１４１自身と後方部１１４ａとの間に包装袋帯５０を挟設した状態では、わずかに変形し包装袋帯５０を後方部１１４ａへ押し付ける。一方で、ケーシング１１０の底部１１４の後方部１１４ａは、後方部１１４ａ自身と送り部１４１との間に包装袋帯５０を挟設した状態では、包装袋帯５０を送り部１４１へ押し付ける。つまり、送り部１４１は、後方部１１４ａの側へ向かう付勢力を包装袋帯５０に与える。一方で、後方部１１４ａは、送り部１４１の側へ向かう付勢力を包装袋帯５０に与える。これにより、包装袋帯５０は、ケーシング１１０の底部１１４の後方部１１４ａと、送り部１４１と、の間に挟設され保持される。
【００３０】
使用者は、後方部１１４ａと送り部１４１との間に包装袋帯５０を狭設させるときには、包装袋帯５０の端に位置する包装袋（複数の包装袋５１のうちで最初に服用する薬品の包装袋）を、挿入孔１１９を介して、ケーシング１１０の空洞部１０１へ挿入し、後方部１１４ａと送り部１４１との間に挟む。
【００３１】
続いて、使用者が図３に表した矢印Ａ２の方向へ操作部１２０を回転させると、送り部１４１は、回転軸１３１を介して操作部１２０から伝達されたトルク（回転力）により、図３に表した矢印Ａ３の方向へ回転する。これにより、包装袋帯５０の端に位置する包装袋は、ケーシング１１０の底部１１４の後方部１１４ａと、送り部１４１と、の間において、より確実に挟設され保持される。
【００３２】
なお、使用者は、包装袋帯５０を、挿入孔１１９を通して底部１１４の上に載せた状態で、送り部１４１を上から被せるようにして、後方部１１４ａと送り部１４１とで包装袋帯５０を挟むようにしてもよい。
【００３３】
続いて、使用者は、包装袋の薬品よりも後に服用する薬品の複数の包装袋５１の帯（包装袋帯５０）を箱２００の空間２０１に適宜収納することができる。  
なお、使用者は、包装袋帯５０を箱２００の空間２０１に収納した後に、前述した方法により、包装袋帯５０の端に位置する包装袋を後方部１１４ａと送り部１４１との間に挟設させてもよい。
【００３４】
例えば、使用者は、操作部１２０を図３に表した矢印Ａ２の方向に、さらに回転させる。すると、図３に表した矢印Ａ３のように、送り部１４１が操作部１２０の回転方向と同じ方向に、さらに回転する。送り部１４１が図３に表した矢印Ａ３の方向に回転すると、包装袋帯５０は、送り部１４１から力を受け、底部１１４の上を図３に表した矢印Ａ６の方向へ移動する。これにより、服用開始の薬品の包装袋がケーシング１１０の外部へ送り出され、ケーシング１１０の取出口１１６から出てくる。なお、服用途中の場合（服用開始の薬品をすでに服用済みの場合）には、包装袋帯５０のうちの端部に存在する包装袋５１がケーシング１１０の取出口１１６から出てくる。
【００３５】
続いて、使用者は、図３に表した矢印Ａ１１の方向へ向かって上部１１３の先端部１１３ｂを押す。言い換えれば、使用者は、上部１１３の先端部１１３ｂを底部１１４へ向かって押す。前述したように、上部１１３は、弾性を有する材料を含む。また、ケーシングの回転軸受け部１１１及び回転軸受け部１１２は、上部１１３の後部を支持し、上部１１３の前部を直接支持していない。そのため、使用者は、上部１１３の先端部１１３ｂを比較的容易に底部１１４へ向かって押すことができる。
【００３６】
すると、ケーシング１１０の取出口１１６から出てきた包装袋５１は、上部１１３の先端部１１３ｂと底部１１４との間に挟まれ、上部１１３の先端部１１３ｂにより底部１１４に押し付けられる。例えば、使用者は、上部１１３の先端部１１３ｂの縁部１１３ｃを包装袋帯５０の切断線５３に当てることにより、服用する薬品の包装袋５１を比較的容易に包装袋帯５０から切り離すことができる。
【００３７】
このとき、図３に表したように、上部１１３の先端部１１３ｂの縁部１１３ｃは、底部１１４の前方側の縁部１１４ｂよりも後方側に位置する。言い換えれば、縁部１１３ｃと回転軸１３１との間の距離は、縁部１１４ｂと回転軸１３１との間の距離よりも短い。そのため、使用者は、上部１１３の先端部１１３ｂにより包装袋５１を底部１１４に押し付けた状態であっても、例えば包装袋帯５０の切断線５３を比較的容易に視認することができる。
【００３８】
本実施形態によれば、使用者は、包装袋帯５０が取出口１１６から垂下することを抑え、必要な包装袋５１を１つずつ取出口１１６からケーシング１１０の外部へ送り出すことができる。これにより、使用者は、服用すべき薬品が包装された包装袋５１をより明確に認識することができる。これにより、薬品の管理を向上させることができる。
【００３９】
前述したように、窓部１１３ａがケーシング１１０の上部１１３に設けられている。これによれば、使用者は、包装袋５１を取出口１１６から出す前に、窓部１１３ａを通して包装袋５１の表示部５５に記載された事項を確認することができる。そのため、使用者は、包装袋５１を取出口１１６から出す前に、服用する薬品が包装された包装袋５１を事前に確認し、服用すべき薬品とは異なる薬品を服用することをより確実に抑えることができる。これにより、薬品の管理をより向上させることができる。
【００４０】
なお、ケーシング１１０の全体または上部１１３が、光透過性の材料により形成されていてもよい。これによれば、窓部１１３ａが上部１１３に設けられていなくとも、使用者は、ケーシング１１０の外側から包装袋５１を事前に確認することができる。
【００４１】
前述したように、箱２００の右壁部２１１には窓部２１３が設けられている。これによれば、使用者は、窓部２１３を通して箱２００の空間２０１を見ることで、包装袋帯５０の残りの包装袋５１を確認することができる。これにより、薬品送り装置１００を箱２００から取り外すことなく、簡易的に包装袋帯５０の残りの包装袋５１を確認することができる。
【００４２】
なお、箱２００の全体が、光透過性の材料により形成されていてもよい。これによれば、窓部２１３が右壁部２１１に設けられていなくとも、使用者は、箱２００の外側から簡易的に包装袋帯５０の残りの包装袋５１を確認することができる。
【００４３】
例えば患者名が記載されたシートや患者の顔写真などが貼付部２１７に貼られている場合には、薬品管理器具１０が複数の患者の間において取り違えられることを抑制することができる。
【００４４】
使用者が図３に表した矢印Ａ７の方向へ操作部１２０を回転させると、底部１１４の上の包装袋帯５０は、図３に表した矢印Ａ８の方向へ移動する。つまり、使用者は、図３に表した矢印Ａ７の方向へ操作部１２０を回転させることにより、挿入孔１１９を通して包装袋帯５０の一部をケーシング１１０の外部（例えば箱２００の空間２０１）へ送り出すことができる。これにより、例えば包装袋帯５０に皺が生じた場合には、使用者は、操作部１２０を図３に表した矢印Ａ７の方向へ回転させることで皺を取ることができる。また、不要な包装袋５１が取出口１１６からケーシング１１０の外部へ出た場合でも、その不要な包装袋５１をケーシング１１０の空洞部１０１へ戻すことができる。
【００４５】
また、図２に表したように、回転軸受け部１１１の前方側の縁部１１１ｆは、上部１１３の前方側の縁部１１３ｃよりも後方に位置し、操作部１２０の前方側の縁部１２０ｆよりも後方に位置する。このため、図１に示すように、ケーシング１１０の側面には、上部１１３の前部と底部１１４との間に、開口部１１０ｓが設けられている。使用者は、窓部１１３ａが設けられない場合でも、開口部１１０ｓからケーシング１１０の内部を視認することができる。これにより、包装袋５１の表示部５５に記載された事項を確認したり、操作部１２０による包装袋帯５０を送り出すときに、その動きを確認したりすることができる。また、使用者は、開口部１１０ｓから指を挿入することができる。これにより、使用者は、包装袋帯５０に直接触れて、包装袋帯５０に生じた皺を取ったり、包装袋帯５０の位置を調整したりすることができる。
【００４６】
また、既に述べたとおり、挿入孔１１９を形成する底部１１４の面（前側面１１９ｆ）は、凸曲面である。これにより、包装袋帯５０が送り出されるときに、底部１１４の角に引っ掛かりにくくなる。したがって、包装袋帯５０をよりスムーズに送り出すことができる。
【００４７】
また、図２に示すように、底部１１４の送り部１４１と対向する上面１１４ｕに、前後方向（回転軸１３１に対して垂直な方向）に延びる複数の溝１１４ｊを形成してもよい。これにより、底部１１４上における包装袋帯５０との摩擦を低減することができ、包装袋帯５０をよりスムーズに送り出すことができる。
【００４８】
また、包装袋帯５０を箱２００の内部に収納する際には、図４（ｂ）に表したような芯材５７を用いてもよい。芯材５７は、筒状又は柱状である。芯材５７には、樹脂や紙など任意の材料が用いられる。包装袋帯５０は、芯材５７に巻き付けられた状態で、箱２００の内部に収納される（図１０を参照）。図１０に表した例では、芯材５７は、箱２００の内部において、任意の手段によって軸支され、箱２００の底から離間した位置に配置される。このような芯材５７を用いることによって、包装袋帯５０の箱２００内での動きが滑らかとなる。これにより、包装袋帯５０をより滑らかに送り出すことができる。
【００４９】
図５は、本発明の実施の形態に係る薬品送り装置を備えた薬品管理器具を表す模式的分解図である。  
実施形態に係る薬品管理器具は、図５に表したように、使用者によって組立及び分解が可能である。これに関して、以下、薬品管理器具１０の各部分の具体例について説明する。
【００５０】
実施形態に係る薬品管理器具１０は、箱２００と底部１１４とを着脱可能に固定する固定手段を有する。この例では、固定手段として、底部１１４に設けられた突起部１１７と、箱２００に設けられた突起部受け穴２００ｃと、が用いられる。
【００５１】
図６（ａ）は、箱２００を上方から眺めた模式的平面図であり、図６（ｂ）は、箱２００を側方から眺めた模式的平面図である。  
図６（ａ）及び図６（ｂ）に表したように、箱２００は、４つの突起部受け穴２００ｃを有する。この例では、右壁部２１１の上面に２つの突起部受け穴２００ｃが設けられ、左壁部２１２の上面に２つの突起部受け穴２００ｃが設けられる。例えば、突起部受け穴２００ｃの径は、２ｍｍ程度であり、深さは、４ｍｍ程度である。
【００５２】
なお、各壁部の厚さＴ１〜Ｔ５は、それぞれ８ｍｍであり、底部１１４の厚さＴ６は、８ｍｍである。前壁部２１５の前方側の縁部２１５ｆと突起部受け穴２００ｃとの間の距離Ｌ１及びＬ２は、それぞれ、３０ｍｍ、６０ｍｍである。また、箱２００の長さ（前壁部２１５の前方側の縁部２１５ｆと、後壁部２１９の後方側の縁部２１９ｆと、の間の距離Ｌ３）は、１２０ｍｍである。箱２００の幅（右壁部２１１の右側方の縁部２１１ｆと、左壁部２１２の左側方の縁部２１２ｆと、の間の距離Ｌ４）は、９０ｍｍである。箱２００の高さ（距離Ｌ５）は、８０ｍｍである。箱２００の内部の横幅（右壁部２１１と左壁部２１２との間の距離）は、包装袋帯５０の幅よりも広くされる。また、挿入孔１１９の横幅（左右方向に沿った長さ）も、包装袋帯５０の幅よりも広くされる。なお、本実施例において示す各寸法は、包装袋帯５０の幅が７０ｍｍである場合における一例であり、実施形態は、示した寸法に限られない。例えば、包装袋帯５０の幅は、９０ｍｍである場合もある。
【００５３】
図５に表したように、底部１１４の下面には、突起部１１７が設けられる。突起部１１７は、箱２００の突起部受け穴２００ｃの数及び位置に応じて設けられる。この例では、図６（ａ）及び図６（ｂ）に示した突起部受け穴２００ｃの位置に応じて、４つの突起部１１７が設けられる。なお、上記の突起部１１７及び突起部受け穴２００ｃのそれぞれの数や位置は、一例であり、上記に限定されない。
【００５４】
突起部１１７は、底部１１４が箱２００に載置された状態において突起部受け穴２００ｃと係合し、底部１１４が箱２００に対して上下方向及び水平方向に移動することを抑制する。
【００５５】
図５に戻って説明すると、薬品送り装置１００は、回転軸受け部（１１１又は１１２）と底部１１４とを着脱可能に固定する固定手段を有する。この例では、固定手段として、回転軸受け部に設けられた側部突起部（突起部１１１ｐ及び突起部１１２ｐ）と、底部１１４に設けられた側部突起受け穴１１４ｃと、が用いられる。
【００５６】
具体的には、回転軸受け部１１１の下面に２つの突起部１１１ｐが設けられ、回転軸受け部１１２の下面に２つの突起部１１２ｐが設けられている。これらの突起部の数及び位置におうじて、底部１１４の上面に４つの側部突起受け穴１１４ｃが設けられている。なお、突起部１１１ｐ、突起部１１２ｐ及び側部突起受け穴１１４ｃのそれぞれの数や位置は、一例であり上記に限定されない。
【００５７】
突起部１１１ｐ及び１１２ｐは、回転軸受け部（１１１又は１１２）が底部１１４の上に載置された状態において側部突起受け穴と係合し、回転軸受け部が底部１１４に対して上下方向及び水平方向に移動することを抑制する。
【００５８】
なお、上記の突起部１１７、突起部１１１ｐ及び１１１２ｐのそれぞれは、いわゆる「だぼ」のような形態であっても良いし、鉤形の形状を有するスナップフィットのような形態であってもよい。また、これらの固定手段には、ネジや面ファスナー等の任意の固定手段を用いても良いが、使用者による組立及び分解が容易であることが望ましい。
【００５９】
また、回転軸受け部１１１には回転軸受け孔１１１ｅが設けられ、回転軸受け部１１２には、回転軸受け孔１１２ｅが設けられる。回転軸１３１の右端を回転軸受け孔１１１ｅに挿通し、回転軸１３１の左端を回転軸受け孔１１２ｅに挿通することができる。これにより、回転軸１３１は、回転軸受け部１１１及び回転軸受け部１１２によって回動自在に軸支される。
【００６０】
図７（ａ）は、操作部１２０を例示する模式的平面図である。  
既に述べたように、この例では、操作部１２０は、円板状であり、複数の操作孔１２３を有する。また、操作部１２０には、操作部固定孔１２４が設けられている。例えば、操作部１２０の円の径Ｄ３は７０ｍｍであり、操作孔１２３の径Ｄ４は、１５ｍｍであり、操作部固定孔１２４の径Ｄ５は、１５ｍｍである。
【００６１】
図５に示すように、操作孔１２３には、把持部１２５を挿通することができる。挿通された把持部１２５は、把持部固定部１２６によって操作孔１２３に固定される。例えば、把持部固定部１２６にはネジが用いられる。把持部１２５と把持部固定部１２６とによって操作部１２０を挟むことで、固定が行われる。
【００６２】
図７（ｂ）は、回転軸１３１、送り部１４１及び操作部固定部１３５を例示する模式的平面図である。  
図７（ｂ）に表したように、回転軸１３１は、例えば筒状（パイプ状）である。回転軸１３１の径（外径）Ｄ６は例えば１５ｍｍであり、送り部１４１の径（外径）Ｄ７は例えば２８ｍｍである。操作部固定部１３５は、パイプ状の回転軸１３１に挿入されるネジの形状を有する。操作部固定部１３５の外径Ｄ８は、１７ｍｍ程度である。
【００６３】
図５に表したように、回転軸１３１の右端を回転軸受け孔１１１ｅ及び操作部固定孔１２４に挿通する。同様に、回転軸１３１の左端を回転軸受け孔１１２ｅ及び操作部固定孔１２４に挿通する。そして、操作部固定部１３５と回転軸１３１とによって、操作部１２０を狭持する。これにより、操作部１２０を回転軸１３１に固定することができる。
【００６４】
なお、操作部固定部１３５及び把持部固定部１２６には、回転操作によって緩まない措置を行うことが望ましい。例えば、操作部固定部１３５及び把持部固定部１２６には逆ネジや接着剤を用いてもよい。但し、使用者が分解できる程度の強度の固定であることが望ましい。
【００６５】
回転軸受け部（１１１又は１１２）は、上部１１３を支持する支持手段を有する。例えば、図５に表したように、回転軸受け部１１１は、上部差込溝１１１ｇを有し、回転軸受け部１１２は、上部差込溝１１２ｇを有する。上部差込溝１１１ｇ及び上部差込溝１１２ｇは、互いに対向するように設けられ、幅が１ｍｍ程度のスリット状である。また、スリット（溝）は、曲線状であり、上部１１３は可撓性を有する。このため、曲線状のスリットの形状に沿って、上部１１３を挿し込むことができる。このようにして、上部１１３は、上部差込溝１１１ｇ及び上部差込溝１１２ｇに挟まれ、支持される。
【００６６】
さらに、上部１１３は、底部１１４に設けられた上部差込溝１１４ｇに当接するまで挿し込まれる。挿し込まれた上部１１３は、上部固定ビス１３３によって上部差込溝１１４ｇに固定される。このようにして、使用者が簡易に、上部１１３の着脱を行うことが可能である。
【００６７】
以上説明したように、実施形態に係る薬品管理器具１０の各部材（箱２００、底部１１４、回転軸受け部１１１、回転軸受け部１１２、回転軸１３１、送り部１４１、操作部１２０、操作部固定部１３５、把持部１２５、上部１１３など）は、使用者によって着脱可能である。これにより、使用者が適宜部材を交換することができる。上述の薬品管理器具１０の機能を損なわない範囲で、各部材に、色、材質及び形状等についてのバリエーションを用意することができる。例えば、各部材に対して寸法等の規格を定め、規格に従った部材を使用者が自由に組み合わせることが可能である。例えば、樹脂を用いた箱２００、金属を用いた回転軸受け部（１１１及び１１２）、木材を用いた操作部１２０及び樹脂を用いた上部１１３を組み合わせてオリジナル品を作ることができる。このように、薬品管理器具１０を、使用者ごとの独自のものとし、意匠性を向上させることができる。
【００６８】
病院など複数の患者がいる場所において、複数の薬品管理器具１０を用いる場合、患者ごとに独自の薬品管理器具１０を用いることで、どの薬品管理器具１０がどの患者のものであるか判別し易くなる。これにより、薬品の取り違えを抑制することができる。また、患者自身がオリジナルの薬品管理器具１０を作ることで、愛着を覚え、薬品の服用を促すことができる。
【００６９】
例えば、送り部１４１の弾性が劣化した場合には、操作部固定部１３５を外し、回転軸受け部（１１１及び１１２）を底部１１４から引き抜くことで、薬品管理器具１０を分解し、送り部１４１を交換することができる。このように、実施形態に係る薬品管理器具１０によれば、特定の部材が劣化した場合でも、当該部材だけを簡易に交換することができる。
【００７０】
図８は、本発明の実施の形態に係る薬品管理器具の各部材のバリエーションを例示する表である。なお、表中の「△」は使用可能な材料を示し、「○」は使用可能な材料のうち望ましい材料を示す。
【００７１】
図８に表したように、回転軸受け部（１１１及び１１２）、操作部１２０、底部１１４、箱２００及び回転軸１３１のそれぞれには、樹脂、金属、木材、ガラス、陶器、紙、または、これらの組合せを用いることができる。送り部１４１には、樹脂、紙、または、これらの組合せを用いることができる。上部１１３には、樹脂、金属、紙、または、これらの組合せを用いることができる。操作部固定部１３５、把持部１２１及び把持部固定部１２６のそれぞれには、樹脂、金属、木材、ガラス、陶器、紙、または、これらの組合せを用いることができる。
【００７２】
例えば、樹脂を材料とする場合は、樹脂のカラーバリエーションを用意することができる。金属を材料とする場合は、金属の素材や仕上げのバリエーションを用意することができる。木材を材料とする場合は、木材の素材や仕上げのバリエーションを用意することができる。金属の素材のバリエーションとしては、例えば真鍮、ステンレス又はアルミ等が挙げられる。木材の素材としては、例えばスギ、ヒノキ、楓又は紫檀等が挙げられる。また、仕上げのバリエーションとしては、鏡面仕上げ、ツヤ出し又はツヤ消し等が挙げられる。各部材に、カラー塗装等の装飾加工や、防錆塗装、防湿塗装等の保護加工を施してもよい。但し、用いられる素材や仕上げは、上記に限定されない。
【００７３】
部材同士の接合部分の寸法、位置及び形状等を統一することで多様な部材の組合せが可能となる。但し、接合に支障がない範囲において、各部材の寸法を変更してもよい。上述した距離Ｌ１〜Ｌ５、厚さＴ１〜Ｔ６及び径Ｄ１〜Ｄ８等の寸法や各部材の形状は、一例であり、薬品管理器具１０の機能を損なわない範囲で適宜変更可能である。例えば、薬品管理器具１０は、以下の図９（ａ）及び図９（ｂ）に示すような形態であってもよい。
【００７４】
図９（ａ）及び図９（ｂ）は、本発明の実施の形態に係る、別の薬品管理器具を例示する模式的平面図である。  
図９（ａ）及び図９（ｂ）に表した薬品管理器具では、上述の箱２００の代わりに箱２００ａが用いられ、底部１１４の代わりに底部２１４が用いられている。  
図９（ａ）は、薬品送り装置を側方から眺めた模式的平面図であり、図９（ｂ）は、箱２００ａ及び底部２１４を前方から眺めた模式的平面図である。
【００７５】
図９（ｂ）に表したように、箱２００ａの各壁部の厚さや底部２１４の厚さは、一定でなくてもよい。例えば、突起部受け穴２００ｃが設けられる領域を相対的に厚くし、それ以外の領域を相対的に薄くしてもよい。同様に、底部２１４についても、突起部１１７が設けられる領域を相対的に厚くし、それ以外の領域を相対的に薄くしてもよい。
【００７６】
また、底部２１４は、水平面内に延在する平板状でなく、部分的に湾曲していてもよい。例えば、図９（ａ）に表したように、底部２１４が薄い場合、底部２１４の後方部２１４ａ（送り部と対向する部分）は、下方へ湾曲した形状を有していてもよい。これにより、挿入孔１１９での包装袋帯５０の送り出しをスムーズにすることができる。
【００７７】
また、回転軸受け部１１１及び回転軸受け部１１２は、図９（ａ）の２点鎖線で表した回転軸受け部２１０のように、操作部１２０や先端部１１３ｂよりも前方まで延出した形状であってもよい。但し、既に述べたとおり、上部１１３の前部は、回転軸受け部に直接支持されていないことが望ましい。
【００７８】
図１０は、本発明の実施の形態に係る、さらに別の薬品管理器具を例示する模式的平面図である。
【００７９】
図１０は、図３に表した模式的平面図に対応する。図１０に表した薬品管理器具１１は、回転機能材２２０を有する。これ以外は、薬品管理器具１１は、図３に関して説明した薬品管理器具１０と同様である。
【００８０】
回転機能材２２０は、挿入孔１１９に隣接して設けられる。例えば、回転機能材２２０は、前側面１１９ｆに取り付けられる。回転機能材２２０としては、例えば、ローラーやプーリーのような部材が挙げられる。回転機能材２２０の回転軸は、回転軸１３１と略平行に配置され、包装袋帯５０は、回転機能材２２０に接した状態でセットされる。これにより、包装袋帯５０が送り出されるときに回転機能材２２０が回転し、包装袋帯５０がよりスムーズに送り出される。
【００８１】
図１１（ａ）は、本実施形態にかかる薬品管理器具の使用形態の一例を例示する模式的平面図である。  
図１１（ｂ）は、本実施形態の連結台を表す模式的斜視図である。  
なお、図１１（ａ）では、説明の便宜上、窓部１１３ａを省略している。
【００８２】
例えば、使用者は、複数の薬品管理器具１０を連結させて使用することができる。すなわち、図１１（ａ）に表したように、使用者は、複数の薬品管理器具１０を用意し、任意の薬品管理器具１０の把持部１２１を、その任意の薬品管理器具１０と隣り合う他の薬品管理器具１０の操作孔１２３に挿入する。任意の薬品管理器具１０の把持部１２１は、その任意の薬品管理器具１０と隣り合う他の薬品管理器具１０の操作孔１２３と係合し、その任意の薬品管理器具１０と隣り合う他の薬品管理器具１０の操作部１２０を作動させることができる。これにより、使用者は、複数の薬品管理器具１０を連結させ、複数の操作部１２０を連動して回転させることができる。つまり、操作部１２０は、連結装置として機能する。これによれば、使用者は、複数の包装袋帯５０をまとめて管理することができる。
【００８３】
例えば、使用者は、図１１（ｂ）に表した連結台３００を使用して複数の薬品管理器具１０を連結させてもよい。図１１（ｂ）に表した連結台３００は、保持部３１０を有する。保持部３１０は、薬品管理器具１０の箱２００を保持することができる。これにより、図１１（ａ）に表したように、使用者は、連結台３００の保持部３１０に箱２００を保持させた状態で、複数の操作部１２０を比較的容易に連動して回転させることができる。なお、図１１（ａ）および図１１（ｂ）に関する説明では、２つの薬品管理器具１０が連結された例を挙げた。但し、薬品管理器具１０が連結される数は、２つに限定されず、３つ以上であってもよい。３つ以上の薬品管理器具１０が連結される場合でも、図１１（ａ）および図１１（ｂ）に関して前述した実施形態と同様の形態を利用することができる。
【００８４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、薬品送り装置１００および箱２００などが備える各要素の形状、寸法、材質、配置などや操作部１２０、窓部１１３ａ、および取出口１１６などの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８５】
１０…薬品管理器具、  ５０…包装袋帯、  ５１…包装袋、  ５３…切断線、  ５５…表示部、  ５５ａ…患者名、  ５５ｂ…日付、  ５５ｃ…服薬時間、  ５７…芯材、  １００…薬品送り装置、  １０１…空洞部、  １１０…ケーシング、  １１０ｓ…開口部、  １１１…回転軸受け部、  １１１ｅ…回転軸受け孔、  １１１ｆ…縁部、  １１１ｇ…上部差込溝、  １１１ｐ…突起部、  １１２…回転軸受け部、  １１２ｅ…回転軸受け孔、  １１２ｆ…縁部、  １１２ｇ…上部差込溝、  １１２ｐ…突起部、  １１３…上部、  １１３ａ…窓部、  １１３ｂ…先端部、  １１３ｃ…縁部、  １１４…底部、  １１４ａ…後方部、  １１４ｂ…縁部、  １１４ｃ…側部突起受け穴、  １１４ｇ…上部差込溝、  １１４ｊ…溝、  １１４ｕ…上面、  １１６…取出口、  １１７…突起部、  １１９…挿入孔、  １１９ｆ…前側面、  １１９ｒ…後側面、  １２０…操作部、  １２０ｆ…縁部、  １２１…把持部、  １２３…操作孔、  １２４…操作部固定孔、  １２５…把持部、  １２６…把持部固定部、  １３１…回転軸、  １３３…上部固定ビス、  １３５…操作部固定部、  １４１…送り部、  ２００、２００ａ…箱、  ２００ｃ…突起部受け穴、  ２０１…空間、  ２１０…回転軸受け部、  ２１１…右壁部、  ２１１ｆ…縁部、  ２１２…左壁部、  ２１２ｆ…縁部、  ２１３…窓部、  ２１４…底部、  ２１４ａ…後方部、  ２１５…前壁部、  ２１５ｆ…縁部、  ２１７…貼付部、  ２１９…後壁部、  ２１９ｆ…縁部、  ２２０…回転機能材、  ３００…連結台、  ３１０…保持部
【図１】
2017086414.tif 000003
【図２】
2017086414.tif 000004
【図３】
2017086414.tif 000005
【図４】
2017086414.tif 000006
【図５】
2017086414.tif 000007
【図６】
2017086414.tif 000008
【図７】
2017086414.tif 000009
【図８】
2017086414.tif 000010
【図９】
2017086414.tif 000011
【図１０】
2017086414.tif 000012
【図１１】
2017086414.tif 000013